Podtech/llm-jp-corpus-v4-ja_patent huggingface dataset:
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
情報処理装置であって、
人を検知する人検知手段と、
負荷と、
前記情報処理装置の電力状態を変更するユーザ操作を受け付け可能な受付手段と、
（１）前記人検知手段による人の検知に基づいて前記負荷に電力を供給し、（２）前記受付手段が受け付けたユーザ操作に基づいて前記負荷に電力を供給し、及び、（３）前記受付手段が受け付けたユーザ操作に基づいて前記負荷への電力の供給を停止する、電力制御手段と、を備え、
前記電力制御手段は、前記人検知手段による人の検知に基づいて前記負荷に電力を供給した後の所定の期間、前記受付手段が受け付けたユーザ操作に基づく前記負荷への電力の供給を停止するのを禁止する、ことを特徴とする情報処理装置。
【請求項２】
前記受付手段は、受け付けたユーザ操作に従って所定の信号を出力し、
前記電力制御手段は、前記所定の期間、前記受付手段から出力された前記所定の信号を受信するが、前記負荷への電力の供給を停止するのを禁止する、ことを特徴とする請求項１に記載の情報処理装置。
【請求項３】
前記電力制御手段は、前記所定の期間に前記受付手段から出力された前記所定の信号に従って所定の処理を実行する、ことを特徴とする請求項２に記載の情報処理装置。
【請求項４】
前記所定の処理は、前記負荷への電力の供給を停止するか否かを判定する処理である、ことを特徴とする請求項３に記載の情報処理装置。
【請求項５】
前記電力制御手段は、前記情報処理装置がスタンバイ状態に移行したら前記禁止を解除する、ことを特徴とする請求項１乃至４の何れか１項に記載の情報処理装置。
【請求項６】
前記電力制御手段は、所定時間経過後に前記禁止を解除する、ことを特徴とする請求項１乃至４の何れか１項に記載の情報処理装置。
【請求項７】
前記人検知手段は、焦電センサである、ことを特徴とする請求項１乃至６の何れか１項に記載の情報処理装置。
【請求項８】
前記人検知手段は、複数の検知部がマトリクス状に配置されたアレイ型のセンサである、ことを特徴とする請求項１乃至６の何れか１項に記載の情報処理装置。
【請求項９】
前記人検知手段は、赤外線を受信する赤外線センサである、ことを特徴とする請求項１乃至６の何れか１項に記載の情報処理装置。
【請求項１０】
印刷手段をさらに備える、ことを特徴とする請求項１乃至９の何れか１項に記載の情報処理装置。
【請求項１１】
情報処理装置の制御方法であって、
人検知手段による人の検知に基づいて負荷に電力を供給する工程と、
受付手段が受け付けたユーザ操作に基づいて前記負荷に電力を供給する工程と、
前記受付手段が受け付けたユーザ操作に基づいて前記負荷への電力の供給を停止する工程と、
前記人検知手段による人の検知に基づいて前記負荷に電力を供給した後の所定の期間、前記受付手段が受け付けたユーザ操作に基づく前記負荷への電力の供給を停止するのを禁止する工程と、を有することを特徴とする情報処理装置の制御方法。
【請求項１２】
前記受付手段が受け付けたユーザ操作に従って所定の信号を出力する工程をさらに有し、
前記禁止する工程は、前記所定の期間、前記所定の信号を受信するが、前記負荷への電力の供給を停止するのを禁止する工程である、ことを特徴とする請求項１１に記載の情報処理装置の制御方法。
【請求項１３】
前記所定の期間に受信した前記所定の信号に従って所定の処理を実行する工程、をさらに有する、ことを特徴とする請求項１２に記載の情報処理装置の制御方法。
【請求項１４】
前記所定の処理は、前記負荷への電力の供給を停止するか否かを判定する処理である、ことを特徴とする請求項１３に記載の情報処理装置の制御方法。
【請求項１５】
前記情報処理装置がスタンバイ状態に移行したら前記禁止を解除する工程をさらに有する、ことを特徴とする請求項１１乃至１４の何れか１項に記載の情報処理装置の制御方法。
【請求項１６】
所定時間経過後に前記禁止を解除する工程をさらに有する、ことを特徴とする請求項１１乃至１４の何れか１項に記載の情報処理装置の制御方法。
【請求項１７】
前記人検知手段は、焦電センサである、ことを特徴とする請求項１１乃至１６の何れか１項に記載の情報処理装置の制御方法。
【請求項１８】
前記人検知手段は、複数の検知部がマトリクス状に配置されたアレイ型のセンサである、ことを特徴とする請求項１１乃至１６の何れか１項に記載の情報処理装置の制御方法。
【請求項１９】
前記人検知手段は、赤外線を受信する赤外線センサである、ことを特徴とする請求項１１乃至１６の何れか１項に記載の情報処理装置の制御方法。
【請求項２０】
記録媒体に画像を印刷する工程をさらに有する、ことを特徴とする請求項１１乃至１９の何れか１項に記載の情報処理装置の制御方法。
【手続補正２】
【補正対象書類名】明細書
【補正対象項目名】発明の名称
【補正方法】変更
【補正の内容】
【発明の名称】情報処理装置、及び、情報処理装置の制御方法
【手続補正３】
【補正対象書類名】明細書
【補正対象項目名】０００９
【補正方法】変更
【補正の内容】
【０００９】
本発明の情報処理装置は、人を検知する人検知手段と、負荷と、前記情報処理装置の電力状態を変更するユーザ操作を受け付け可能な受付手段と、（１）前記人検知手段による人の検知に基づいて前記負荷に電力を供給し、（２）前記受付手段が受け付けたユーザ操作に基づいて前記負荷に電力を供給し、及び、（３）前記受付手段が受け付けたユーザ操作に基づいて前記負荷への電力の供給を停止する、電力制御手段と、を備え、前記電力制御手段は、前記人検知手段による人の検知に基づいて前記負荷に電力を供給した後の所定の期間、前記受付手段が受け付けたユーザ操作に基づく前記負荷への電力の供給を停止するのを禁止する。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
ＩＬ−１７Ｃに特異的な抗体または抗体断片を含む、炎症性疾患または癌の治療のための組成物であって、前記抗体または抗体断片が、
（ａ）配列番号７のアミノ酸配列を含むＨＣＤＲ１領域、配列番号８のアミノ酸配列を含むＨＣＤＲ２領域、配列番号９のアミノ酸配列を含むＨＣＤＲ３領域、配列番号１３のアミノ酸配列を含むＬＣＤＲ１領域、配列番号１４のアミノ酸配列を含むＬＣＤＲ２領域、および配列番号１５のアミノ酸配列を含むＬＣＤＲ３領域、または
（ｂ）配列番号２０のアミノ酸配列を含むＨＣＤＲ１領域、配列番号２１のアミノ酸配列を含むＨＣＤＲ２領域、配列番号２２のアミノ酸配列を含むＨＣＤＲ３領域、配列番号２６のアミノ酸配列を含むＬＣＤＲ１領域、配列番号２７のアミノ酸配列を含むＬＣＤＲ２領域、および配列番号２８のアミノ酸配列を含むＬＣＤＲ３領域
を含む、組成物。
【請求項２】
前記抗体または抗体断片が、ヒトＩＬ−１７Ｃに特異的である、請求項１に記載の組成物。
【請求項３】
前記抗体または抗体断片が、ヒトまたはキメラ抗体または抗体断片である、請求項１または２に記載の組成物。
【請求項４】
前記抗体または抗体断片が、配列番号１７の重鎖可変領域アミノ酸配列および配列番号１６の軽鎖可変領域アミノ酸配列を含む、請求項１〜３のいずれか一項に記載の組成物。
【請求項５】
前記抗体または抗体断片が、配列番号３０の重鎖可変領域アミノ酸配列および配列番号２９の軽鎖可変領域アミノ酸配列を含む、請求項１〜３のいずれか一項に記載の組成物。
【請求項６】
前記抗体が、配列番号４３の重鎖アミノ酸配列および配列番号４２の軽鎖アミノ酸配列を含む、請求項１〜４のいずれか一項に記載の組成物。
【請求項７】
前記抗体が、配列番号５６の重鎖アミノ酸配列および配列番号５５の軽鎖アミノ酸配列を含む、請求項１〜３および５のいずれか一項に記載の組成物。
【請求項８】
前記抗体または抗体断片が、単離された抗体または抗体断片である、請求項１〜７のいずれか一項に記載の組成物。
【請求項９】
前記抗体または抗体断片が、組換え抗体または抗体断片である、請求項１〜８のいずれか一項に記載の組成物。
【請求項１０】
前記炎症性疾患が、関節リウマチ、乾癬、肺炎症、ＣＯＰＤ、または中等度から重度のアトピー性皮膚炎を含むアトピー性皮膚炎である、請求項１〜９のいずれか一項に記載の組成物。 
【手続補正２】
【補正対象書類名】明細書
【補正対象項目名】０１８８
【補正方法】変更
【補正の内容】
【０１８８】
９．２．ＡＤの自然発生＆慢性フレーキーテイルマウスモデルにおけるＭＡＢ＃１の有効性
皮膚炎症の臨床的スコア付けは、フレーキーテイルマウスが、治療の開始時に自然発生の湿疹様皮膚炎の徴候を既に有しており、これは、治療されていない動物では、６週の追跡調査期間中に、顕性の皮膚炎にさらに進行したことを示す。ＭＡＢ＃１での治療は、進行を低下させ、最も高い３０ｍｇ／ｋｇの試験用量では、デキサメタゾンの効果に匹敵する有意な効果が認められる（図１０）。治療の最後には、眼瞼炎のレベルで、ＭＡＢ＃１抗体の同様の効果が認められる（図１１）。
また、本発明は以下を提供する。
［１］
ＩＬ−１７Ｃに特異的な抗体または抗体断片において、
（ａ）配列番号７のＨＣＤＲ１領域、配列番号８のＨＣＤＲ２領域、配列番号９のＨＣＤＲ３領域、配列番号１３のＬＣＤＲ１領域、配列番号１４のＬＣＤＲ２領域、および配列番号１５のＬＣＤＲ３領域、または
（ｂ）配列番号２０のＨＣＤＲ１領域、配列番号２１のＨＣＤＲ２領域、配列番号２２のＨＣＤＲ３領域、配列番号２６のＬＣＤＲ１領域、配列番号２７のＬＣＤＲ２領域、および配列番号２８のＬＣＤＲ３領域
を含む抗体と交差競合することを特徴とする抗体または抗体断片。
［２］
ＩＬ−１７Ｃに特異的な抗体または抗体断片において、
（ａ）配列番号７のアミノ酸配列を含むＨＣＤＲ１領域、配列番号８のアミノ酸配列を含むＨＣＤＲ２領域、配列番号９のアミノ酸配列を含むＨＣＤＲ３領域、配列番号１３のアミノ酸配列を含むＬＣＤＲ１領域、配列番号１４のアミノ酸配列を含むＬＣＤＲ２領域、および配列番号１５のアミノ酸配列を含むＬＣＤＲ３領域、または
（ｂ）配列番号２０のアミノ酸配列を含むＨＣＤＲ１領域、配列番号２１のアミノ酸配列を含むＨＣＤＲ２領域、配列番号２２のアミノ酸配列を含むＨＣＤＲ３領域、配列番号２６のアミノ酸配列を含むＬＣＤＲ１領域、配列番号２７のアミノ酸配列を含むＬＣＤＲ２領域、および配列番号２８のアミノ酸配列を含むＬＣＤＲ３領域
を含むことを特徴とする抗体または抗体断片。
［３］
前記抗体または抗体断片が、
（ａ）配列番号７のＨＣＤＲ１領域、配列番号８のＨＣＤＲ２領域、配列番号９のＨＣＤＲ３領域、配列番号１３のＬＣＤＲ１領域、配列番号１４のＬＣＤＲ２領域、および配列番号１５のＬＣＤＲ３領域、または
（ｂ）配列番号２０のＨＣＤＲ１領域、配列番号２１のＨＣＤＲ２領域、配列番号２２のＨＣＤＲ３領域、配列番号２６のＬＣＤＲ１領域、配列番号２７のＬＣＤＲ２領域、および配列番号２８のＬＣＤＲ３領域
を含むことを特徴とする［２］に記載の抗体または抗体断片。
［４］
前記抗体または抗体断片が、ヒトＩＬ−１７Ｃに特異的であることを特徴とする［１］〜［３］のいずれか一項に記載の抗体または抗体断片。
［５］
前記抗体または抗体断片が、ヒトＩＬ−１７Ｃ、カニクイザルＩＬ−１７Ｃ、およびマウスＩＬ−１７Ｃに特異的であることを特徴とする［４］に記載の単離された抗体または抗体断片。
［６］
前記抗体または抗体断片が、ヒト、ヒト化、またはキメラ抗体または抗体断片であることを特徴とする［１］〜［５］のいずれか一項に記載の抗体または抗体断片。
［７］
前記抗体または抗体断片が、配列番号１７の重鎖および配列番号１６の軽鎖を含むことを特徴とする［１］〜［６］のいずれか一項に記載の抗体または抗体断片。
［８］
前記抗体または抗体断片が、配列番号３０の重鎖および配列番号２９の軽鎖を含むことを特徴とする［１］〜［７］のいずれか一項に記載の抗体または抗体断片。
［９］
前記抗体または抗体断片が、単離された抗体または抗体断片であることを特徴とする［１］〜［８］のいずれか一項に記載の抗体または抗体断片。
［１０］
前記抗体または抗体断片が、組換え抗体または抗体断片であることを特徴とする［１］〜［９］のいずれか一項に記載の抗体または抗体断片。
［１１］
それを必要とする対象の治療における使用のためのものであることを特徴とする［１］〜［１０］のいずれか一項に記載の抗体または抗体断片。
［１２］
［１］〜［１１］のいずれか一項に記載の抗体または抗体断片をコードする核酸配列または複数の核酸配列を含むことを特徴とする核酸組成物。
［１３］
［１２］の核酸配列または複数の核酸配列を含むベクターまたは複数のベクターを含むことを特徴とするベクター組成物。
［１４］
［１３］のベクター組成物を含むことを特徴とする細胞。
［１５］
［１］〜［１１］のいずれか一項に記載の抗体または抗体断片と、薬学的に許容し得る担体または賦形剤とを含むことを特徴とする医薬組成物。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
走行機体に装着され、該走行機体の走行位置に対して側方にオフセットした位置に配置され、旧畦を切り崩して土盛りを行う前処理部及び盛られた土を切り崩された旧畦上に塗り付ける整畦部を備え、前記走行機体の走行とともに進行して畦塗り作業を行う畦塗り機において、
前記前処理部は、前記走行機体進行方向に対して前後方向に延びて回転自在に支持された耕耘軸に軸芯方向に所定間隔を有して複数列に設けられ前記耕耘軸とともに回転する耕耘爪を有し、
前記耕耘爪は、この取付基部から連続して延びる縦刃部及び横刃部を有し、前記縦刃部から前記横刃部にかけて前記耕耘軸の回転方向と逆向きに弯曲するとともに、前記横刃部が前記縦刃部に対して一側方へ弯曲し、
前記前処理部は、前記耕耘爪の周囲を囲むカバー体を有し、
複数列に設けられた前記耕耘爪のうち最後列に設けられた耕耘爪の横刃部は、前記耕耘軸の軸芯方向前側へ向いて屈曲し、
前記最後列の耕耘爪の縦刃部は、前記最後列の耕耘爪の進行方向後方側を覆う前記カバー体の後板部に沿って配置され、
前記最後列の耕耘爪には、前記耕耘爪の前記取付基部が装着される取付け部の耕耘爪回転方向前方側を覆うとともに、少なくとも、前記取付基部から前記縦刃部の刃縁の基端部周辺まで延びる土除去部材が設けられている
ことを特徴とする畦塗り機。
【請求項２】
前記土除去部材は、側板部と、前記側板部の端部から屈曲して延びる前板部とを有し、前記前板部は、基部と、前記縦刃部の刃縁に沿って前記基部の端部から少なくとも前記縦刃部の刃縁の基端部周辺まで屈曲するように延びた先部とを有する、
ことを特徴とする請求項１に記載の畦塗り機。
【請求項３】
前記土除去部材は、前記取付け部の厚さ以上の幅を有している
ことを特徴とする請求項１または２に記載の畦塗り機。
【請求項４】
前記最後列の耕耘爪の縦刃部及び横刃部の進行方向後側の背面には、前記縦刃部及び前記横刃部の延伸方向に沿って耐摩耗性金属層が被覆されている
ことを特徴とする請求項３に記載の畦塗り機。
【請求項５】
前記土除去部材は、前記耕耘爪の進行方向後方側の面が前記最後列の耕耘爪の進行方向後方側を覆う前記カバー体の後板部に面して配置されている
ことを特徴とする請求項１乃至４のいずれか一に記載の畦塗り機。
【請求項６】
前記カバー体は、前記耕耘爪の回転軌跡における上方及び側方を覆う部分が、前方ほど径が小さくなるテーパ状に形成されている
ことを特徴とする請求項５に記載の畦塗り機。
【請求項７】
前記土除去部材は、前記取付け部に着脱可能に設けられている
ことを特徴とする請求項１乃至６のいずれか一に記載の畦塗り機。
【請求項８】
前記最後列の耕耘爪の先端部の回転半径は、前記最後列以外の他の列の耕耘爪の回転半径よりも大きい回転半径を有している
ことを特徴とする請求項１乃至７のいずれか一に記載の畦塗り機。
【請求項９】
前記前処理部の前記耕耘軸は、平面視において前記耕耘爪の進行方向前側が後側に対して旧畦側に傾斜している
ことを特徴とする請求項１乃至８のいずれか一に記載の畦塗り機。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
腎細胞癌患者について腎細胞癌の再発の可能性を予測するための方法であって、
（ａ）患者から得た腎細胞癌試料において、ＣＣＬ５、ＣＣＲ７、ＣＤ８Ａ、ＣＸ３ＣＬ１、ＣＸＣＬ１０、ＣＸＣＬ９、ＨＬＡ−ＤＰＢ１、ＩＬ６、ＩＬ８およびＳＰＰ１の少なくとも１つの遺伝子のＲＮＡ転写物レベルを測定する工程と、
（ｂ）前記少なくとも１つの遺伝子のＲＮＡ転写物のレベルを正規化して、正規化ＲＮＡ発現レベルを得る工程と、
（ｃ）前記正規化された少なくとも１つの遺伝子の発現レベルに基づいて、当該患者について腎細胞癌の再発の可能性が予測される工程と
を含み、このときＣＤ８Ａ、ＣＸＣＬ１０およびＨＬＡ−ＤＰＢ１の正規化ＲＮＡ発現レベルの増加は腎細胞癌の再発リスクの低減と相関しており、ＣＣＬ５、ＣＣＲ７、ＣＸ３ＣＬ１、ＣＸＣＬ９、ＩＬ６、ＩＬ８およびＳＰＰ１の正規化ＲＮＡ発現レベルの増加は腎細胞癌の再発リスクの増加と相関している、方法。
【請求項２】
前記少なくとも１つの遺伝子が、ＣＣＬ５、ＣＣＲ７、ＣＸ３ＣＬ１、ＣＸＣＬ９、ＩＬ６およびＩＬ８から選択される、請求項１に記載の方法。
【請求項３】
前記少なくとも１つの遺伝子が、ＣＣＬ５、ＣＣＲ７、ＣＸ３ＣＬ１およびＣＸＣＬ９から選択される、請求項１に記載の方法。
【請求項４】
ＬＭＮＢ１およびＮＯＳ３を除く表３ａ、３ｂ、８ａ又は８ｂに列挙される遺伝子から選択される少なくとも１つの他の遺伝子のＲＮＡ転写物の発現レベルを測定する工程をさらに含む、請求項１から３のいずれか一項に記載の方法。
【請求項５】
前記少なくとも１つの他の遺伝子のＲＮＡ転写物が、ＣＣＮＢ１、ＰＰＡＰ２Ｂ、ＣＥＡＣＡＭ１、ＩＤ１、ＰＲＫＣＨ、ＡＰＯＬＤ１、ＳＧＫ１およびＣＡＳＰ１０の一又は複数のＲＮＡ転写物から選択される、請求項４に記載の方法。
【請求項６】
腎細胞癌患者から得られた腫瘍に関する病期を予測するための方法であって、
（ａ）患者から得られた腎細胞癌試料において、ＣＸ３ＣＬ１、ＨＬＡ−ＤＰＢ１、ＩＬ６、ＩＬ８およびＳＰＰ１から選択される少なくとも１つの遺伝子のＲＮＡ転写物のレベルを測定する工程と、
（ｂ）前記少なくとも１つの遺伝子のＲＮＡ転写物のレベルを正規化して、正規化ＲＮＡ発現レベルを得る工程と、
（ｃ）腫瘍の病期が予測される工程と
を含み、このときＩＬ６、ＩＬ８およびＳＰＰ１の正規化ＲＮＡ発現レベルの増加は腫瘍の高い病期と相関しており、ＣＸ３ＣＬ１およびＨＬＡ−ＤＰＢ１の正規化ＲＮＡ発現レベルの増加は腫瘍の低い病期と相関している、方法。
【請求項７】
ＬＭＮＢ１およびＮＯＳ３を除く表４ａ又は表４ｂに列挙される遺伝子から選択される少なくとも１つの他の遺伝子のＲＮＡ転写物の発現レベルを測定する工程をさらに含む、請求項６に記載の方法。
【請求項８】
腎細胞癌患者から得られた腫瘍の悪性度を予測するための方法であって、
（ａ）患者から得られた腎細胞癌試料において、ＣＣＬ５、ＣＤ８Ａ、ＣＸ３ＣＬ１、ＣＸＣＬ９、ＣＸＣＬ１０、ＩＬ６、ＩＬ８およびＳＰＰ１から選択される少なくとも１つの遺伝子のＲＮＡ転写物のレベルを測定する工程と、
（ｂ）前記少なくとも１つの遺伝子のＲＮＡ転写物のレベルを正規化して、正規化ＲＮＡ発現レベルを得る工程と、
（ｃ）腫瘍の悪性度が予測される工程と
を含み、このときＣＣＬ５、ＣＤ８Ａ、ＣＸＣＬ９、ＣＸＣＬ１０、ＩＬ６、ＩＬ８およびＳＰＰ１の正規化ＲＮＡ発現レベルの増加は高い腫瘍悪性度と相関しており、ＣＸ３ＣＬ１の正規化ＲＮＡ発現レベルの増加は低い腫瘍悪性度と相関している、方法。
【請求項９】
ＬＭＮＢ１およびＮＯＳ３を除く表５ａ又は表５ｂに列挙される遺伝子から選択される少なくとも１つの他の遺伝子のＲＮＡ転写物の発現レベルを測定する工程をさらに含む、請求項８に記載の方法。
【請求項１０】
腎細胞癌患者から得られた腎細胞癌組織試料中の壊死の存在を予測するための方法であって、
（ａ）前記組織試料において、ＣＣＬ５、ＣＤ８Ａ、ＣＸ３ＣＬ１、ＨＬＡ−ＤＰＢ１、ＩＬ６、ＩＬ８およびＳＰＰ１から選択される少なくとも１つの遺伝子のＲＮＡ転写物のレベルを測定する工程と、
（ｂ）前記少なくとも１つの遺伝子のＲＮＡ転写物のレベルを正規化して、正規化ＲＮＡ発現レベルを得る工程と、
（ｃ）壊死の存在が予測される工程と
を含み、このときＣＣＬ５、ＣＤ８Ａ、ＩＬ６、ＩＬ８およびＳＰＰ１の正規化ＲＮＡ発現レベルの増加は壊死の存在と相関しており、ＣＸ３ＣＬ１およびＨＬＡ−ＤＰＢ１の正規化ＲＮＡ発現レベルの増加は壊死の不在と相関している、方法。
【請求項１１】
ＬＭＮＢ１およびＮＯＳ３を除く表６ａ又は表６ｂに列挙される遺伝子から選択される少なくとも１つの他の遺伝子のＲＮＡ転写物の発現レベルを測定する工程をさらに含む、請求項１０に記載の方法。
【請求項１２】
腎細胞癌患者から得られた腎細胞癌組織試料中のリンパ節浸潤の存在を予測するための方法であって、
（ａ）前記組織試料において、ＣＸ３ＣＬ１、ＨＬＡ−ＤＰＢ１、ＩＬ６およびＩＬ８から選択される少なくとも１つの遺伝子のＲＮＡ転写物のレベルを測定する工程と、
（ｂ）前記少なくとも１つの遺伝子のＲＮＡ転写物のレベルを正規化して、正規化ＲＮＡ発現レベルを得る工程と、
（ｃ）リンパ節浸潤の存在が予測される工程と
を含み、このときＩＬ６およびＩＬ８の正規化ＲＮＡ発現レベルの増加はリンパ節浸潤の存在と相関しており、ＣＸ３ＣＬ１およびＨＬＡ−ＤＰＢ１の正規化ＲＮＡ発現レベルの増加はリンパ節浸潤の不在と相関している、方法。
【請求項１３】
ＮＯＳ３を除く表７ａ又は表７ｂに列挙される遺伝子から選択される少なくとも１つの他の遺伝子のＲＮＡ転写物の発現レベルを測定する工程をさらに含む、請求項１２に記載の方法。
【請求項１４】
前記正規化ＲＮＡ発現レベルに基づいて、レポートを作成する工程をさらに含む、請求項１から１３のいずれか一項に記載の方法。
【請求項１５】
前記腎細胞癌試料が、固定された又はパラフィン包埋された組織試料である、請求項１から１４のいずれか一項に記載の方法。
【請求項１６】
前記ＲＮＡ転写物の発現レベルが、ＰＣＲベースの方法を用いて測定される、請求項１から１５のいずれか一項に記載の方法。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
チャンバを有する細胞培養製品において、
前記チャンバが、
側壁と、
上部開口と、
少なくとも１つの凹状表面を含む、気体透過性で液体不浸透性の底部と、
吸引用のピペット先端を受け入れるためのチャンバ分室と、
を備え、
前記底部の少なくとも一部分が、透明であり、
前記底部の少なくとも一部分が、低接着材料または非接着材料を、前記少なくとも１つの凹状表面の中、あるいは前記少なくとも１つの凹状表面の上に備えており、
前記チャンバ分室が、前記チャンバに隣接しかつ該チャンバと流体連通している、表面と、前記気体透過性で透明な底部よりも上方の高度に、該底部から間隔を空けて配置された第２の底部とを有し、さらに前記第２の底部が、ピペットから分注された流体を、前記透明な底部から離れるように偏向させることを特徴とする製品。
【請求項２】
前記チャンバの一部分の内部に位置する多孔質膜を有するとともに、前記チャンバを上方チャンバと下方チャンバとに分割するライナをさらに含むことを特徴とする請求項１記載の製品。
【請求項３】
前記チャンバの一部分の内部に位置する多孔質膜を有するとともに、上方チャンバと下方チャンバとを形成するライナをさらに含み、該多孔質膜が、前記下方チャンバ内の第１の細胞材料から、前記上方チャンバ内の第２の細胞材料を、分離することを特徴とする請求項１記載の製品。
【請求項４】
前記細胞培養製品が、前記チャンバを１個から２，０００個含み、各チャンバが他のチャンバから物理的に隔離していることを特徴とする請求項１記載の製品。
【請求項５】
前記少なくとも１つの凹状表面が、同じ前記チャンバ内の複数の凹状表面を含むことを特徴とする請求項１記載の製品。
【請求項６】
前記少なくとも１つの凹状表面が、半球状表面、前記半透明な側壁から前記底部にかけて３０度から約６０度の傾きを有する円錐状表面、またはこれらの組み合わせを含むことを特徴とする請求項１記載の製品。
【請求項７】
前記側壁の表面が、鉛直シリンダ、前記チャンバの上部から底部へと直径が減少する鉛直円錐の一部分、前記半透明な側壁から前記底部にかけて３０度から約６０度の傾きを有する円錐状表面、前記少なくとも１つの凹状底面へと円錐状の推移を有する鉛直四角シャフト、またはこれらの組み合わせを含むことを特徴とする請求項１記載の製品。
【請求項８】
前記少なくとも１つの凹状表面が、約２５０ミクロンから約５，０００ミクロンの直径を有する、半球体または半球体の一部を含むことを特徴とする請求項１記載の製品。
【請求項９】
灌流プレート装置であって、
請求項１記載の少なくとも１つの細胞培養製品と、
前記少なくとも１つのチャンバに新たな培地のソースを制御可能に提供するとともに、前記細胞培養製品の少なくとも１つのチャンバに流体連通している、培地ソースウェルと、
前記少なくとも１つのチャンバから廃棄培地を制御可能に受け入れるとともに、前記細胞培養製品の少なくとも１つのチャンバに流体連通している、廃棄ウェルと、
を含む、灌流プレート装置。
【請求項１０】
前記少なくとも１つのチャンバの一部分の内部に位置する多孔質膜を有するとともに、上方チャンバと下方チャンバとを形成するライナをさらに含み、該多孔質膜が、前記下方チャンバ内の第１の細胞材料から、前記上方チャンバ内の第２の細胞材料を、分離することを特徴とする請求項９記載の灌流プレート装置。
【請求項１１】
前記培地ソースウェルと前記少なくとも１つのチャンバの一部分との間の灌流プラグ、前記少なくとも１つのチャンバの一部分と前記廃棄ウェルとの間の灌流プラグ、またはこれら両方を含むことを特徴とする請求項９記載の灌流プレート装置。
【請求項１２】
前記少なくとも１つの凹状表面が、複数の隣接する凹状弓形表面を含むことを特徴とする請求項９記載の灌流プレート装置。
【請求項１３】
請求項１記載の細胞培養製品を製造する方法であって、
気体透過性で透明な底部部分と側壁表面部分とを結合して前記細胞培養製品を製造する方法。
【請求項１４】
前記気体透過性で透明な底部部分と側壁表面部分とを結合する工程が、射出成型、熱再成形、後成形、歪み印刷、オーバーモールド、またはそれらの組み合わせにより得られることを特徴とする請求項１３記載の方法。
【請求項１５】
前記気体透過性で透明な底部部分が、該気体透過性で透明な底部部分と一体である、または該気体透過性で透明な底部部分に取付けられた変形カラーを含み、不透明な側壁材料が前記弓形底部部分に流入するのを防ぐことを特徴とする請求項１３記載の方法。
【請求項１６】
多孔質膜を前記細胞培養製品のチャンバの少なくとも１つに挿入することを特徴とする請求項１３記載の方法。
【請求項１７】
フェロイドを培養する方法であって、
請求項１記載の細胞培養製品に培養培地を充填するステップ、および、
スフェロイド形成細胞を前記培養培地に加えるステップ、
を含むことを特徴とする方法。
【請求項１８】
前記透明な底部を通して前記培養したスフェロイド形成細胞を光学的に検査することを含むことを特徴とする請求項１７記載の方法。
【請求項１９】
前記チャンバ内に培養培地およびスフェロイドを含むことを特徴とする請求項１記載の製品。
【請求項２０】
前記側壁が、前記底部の前記透明な部分に隣接していることを特徴とする請求項１記載の製品。
【請求項２１】
前記チャンバと流体連通する１つ以上の補助チャンバを含むことを特徴とする請求項１記載の製品。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
患者の透視画像を撮像する撮像装置と、患者に造影剤である第１の薬液と生理食塩水である第２の薬液とを注入可能な薬液注入装置とを少なくとも備える撮像システムに接続されて使用される、制御部を備えるデータ処理装置であって、
前記制御部は、
患者に対して行われた複数の注入フェーズを含む薬液注入の注入履歴のデータを取得する注入履歴データ取得部と、
前記注入履歴のデータを含む結果グラフを作成する結果グラフ作成部と、
を有し、
ここで、（ｉ）前記結果グラフ内には、前記注入履歴のデータとして、横軸が時間で、縦軸が薬液注入において測定された薬液の注入圧力もしくは注入速度である経時グラフが表示され、かつ、（ｉｉ）第１および第２の薬液の注入に関しどの薬液の注入がどの時点で終わったかを示す情報が複数の注入フェーズに対応して表示されるように構成されている、
データ処理装置。
【請求項２】
第１および第２の薬液の注入に関しどの薬液の注入がどの時点で終わったかを示す前記情報が、経時グラフの曲線上に表示されるインジケータである、請求項１に記載のデータ処理装置。
【請求項３】
前記制御部は、さらに、
前記撮像装置によって撮像された患者の透視画像のデータを取得する画像データ取得部と、
前記撮像装置によって実施された撮像検査における曝射時間のデータを取得する曝射時間データ取得部と、
１つまたは複数の前記透視画像を表示した閲覧画面を作成する閲覧画面作成部と、
を有し、前記結果グラフには前記注入履歴のデータと前記曝射時間のデータとが一緒に表示される、請求項１または２に記載のデータ処理装置。
【請求項４】
前記結果グラフ内に、前記曝射時間のデータとして、撮像開始時間から撮像終了時間までの範囲である撮像タイミング表示部が表示される、請求項３に記載のデータ処理装置。
【請求項５】
一回の検査において複数の撮像動作が行われ、それぞれの撮像動作に対応して、複数の前記撮像タイミング表示部が表示される、請求項４に記載のデータ処理装置。
【請求項６】
前記複数の撮像タイミング表示部のうち選択されている１つのみがアクティブ表示となり、それ以外が非アクティブ表示となる、請求項５に記載のデータ処理装置。
【請求項７】
前記撮像タイミング表示部において、現在表示されている透視画像の撮像時間を示す現在位置インジケータが表示される、請求項４〜６のいずれか一項に記載のデータ処理装置。
【請求項８】
前記結果グラフ内に、造影効果を示す時間濃度曲線（Ｔｉｍｅ  Ｄｅｎｓｉｔｙ  Ｃｕｒｖｅ）が表示される、請求項１〜７のいずれか一項に記載のデータ処理装置。
【請求項９】
前記閲覧画面の少なくとも一部に、前記注入履歴のデータとして、薬液の注入速度、薬液の注入量、使用した薬液に関する情報、および薬液の注入時間から選ばれる少なくとも１つが、テキストデータとして表示される、請求項１〜８のいずれか一項に記載のデータ処理装置。
【請求項１０】
前記閲覧画面の少なくとも一部に、前記曝射時間のデータとして、撮像開始時間および撮像終了時間の少なくとも１つが、テキストデータとして表示される、請求項３に記載のデータ処理装置。
【請求項１１】
さらに、
前記透視画像のデータ、前記注入履歴のデータ、および前記曝射時間のデータから選ばれる少なくとも１つのデータを外部に出力するデータ出力部を備える、請求項３に記載のデータ処理装置。
【請求項１２】
請求項１〜１１のいずれか一項に記載のデータ処理装置と、
患者の透視画像データを撮像する撮像装置と、
患者に薬液として少なくとも造影剤を注入する薬液注入装置と、
を備える医用検査システム。
【請求項１３】
請求項１２に記載の医用検査システムにおいて、
前記薬液注入装置に搭載されるシリンジが、シリンジ内に予め薬液が充填されたプレフィルドタイプのシリンジである、医用検査システム。
【請求項１４】
前記薬液注入装置に搭載されるシリンジが、ＩＣタグ付きのシリンジである、請求項１２または１３に記載の医用検査システム。
【請求項１５】
前記薬液注入装置に搭載されるシリンジが、中空のシリンダ部材とそれにスライド自在に挿入されたピストン部材を有するものであり、
前記シリンダ部材の端部のシリンダフランジに少なくとも１つの切欠き部が形成されている、請求項１２〜１４のいずれか一項に記載の医用検査システム。
【請求項１６】
患者の透視画像を撮像する撮像装置と、患者に造影剤である第１の薬液と生理食塩水である第２の薬液とを注入可能な薬液注入装置とを少なくとも備える撮像システムに接続されて使用されるデータ処理装置のためのコンピュータプログラムであって、
１つのコンピュータまたは複数のコンピュータを、
患者に対して行われた複数の注入フェーズを含む薬液注入の注入履歴のデータを取得する注入履歴データ取得部と、
前記注入履歴のデータを含む結果グラフを作成する結果グラフ作成部と、
して機能させ、
ここで、（ｉ）前記結果グラフ内には、前記注入履歴のデータとして、横軸が時間で、縦軸が薬液注入において測定された薬液の注入圧力もしくは注入速度である経時グラフが表示され、かつ、（ｉｉ）第１および第２の薬液の注入に関しどの薬液の注入がどの時点で終わったかを示す情報が複数の注入フェーズに対応して表示される、
コンピュータプログラム。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
所定の間隔をあけて配置される複数の基準部及び当該複数の基準部間を行き来するように移動する指示標識を含むゲーム画面を表示する表示手段と、
前記指示標識が前記複数の基準部の少なくとも一つに到達すべき複数の到達時期が記述された時期データを記憶するデータ記憶手段とに接続され、
前記指示標識が前記複数の基準部の少なくとも一つに到達する到達時期において前記指示標識に対するプレイ行為を要求するゲームを提供するゲームシステムであって、
前記指示標識に対するプレイ行為を受け付ける受付手段と、
前記受付手段にて受け付けられたプレイ行為に応じて変化する、前記指示標識の移動の態様が所定の条件を満たす場合に、前記一つの基準部に到達すべき到達時期に到達するように指示標識を新たに表示する表示手段と、
を備える、ゲームシステム。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
肌対向面を形成する液透過性の表面シート、非肌対向面を形成する裏面シート、及び、これら両シート間に配され、繊維材料を含む吸収性シートを構成部材として含む吸収体を備え、着用者の前後方向に対応する縦方向と該縦方向に直交する横方向を有する吸収性物品であって、
前記吸収体は、該吸収体の前記横方向の少なくとも中央部に、肌対向面側に位置する表面側吸収性シート、非肌対向面側に位置する裏面側吸収性シート及びこれら両シート間に位置する中央吸収部を含む積層構造を有しており、
前記中央吸収部は、その厚み方向に、セルロース系繊維を含む第１領域、及びセルロース系繊維を含むとともに繊維材料の密度が第１領域よりも高い第２領域を有しており、前記第２領域に抗菌剤が配されており、
前記中央吸収部は、中央吸収性シートが複数層に積層された構造を有し、前記中央吸収部における厚み方向の非肌対向面側に、複数の前記第２領域どうしが前記第１領域を介さずに直接積層された第２領域積層部を有している、吸収性物品。
【請求項２】
前記第１領域及び前記第２領域はともに高吸収性ポリマーを含んでおり、該高吸収性ポリマーは前記第２領域よりも前記第１領域に多く含まれている、請求項１に記載の吸収性物品。
【請求項３】
前記吸収体の平面視における前記第２領域積層部の全域に前記抗菌剤が配されている、請求項１又は２に記載の吸収性物品。
【請求項４】
前記抗菌剤として水不溶性又は水難溶性の抗菌剤を含む、請求項１〜３の何れか１項に記載の吸収性物品。
【請求項５】
前記中央吸収部は消臭剤を含んでいる、請求項１〜４の何れか１項に記載の吸収性物品。
【請求項６】
前記中央吸収部が香料を含んでいる、請求項１〜５の何れか１項に記載の吸収性物品。
【請求項７】
前記吸収体は、前記表面側吸収性シートと、前記中央吸収部を構成する前記中央吸収性シートと、前記裏面側吸収性シートとが重なる領域に、前記表面側吸収性シートを貫通し前記中央吸収部の厚み方向の内部に達するスリットを有している、請求項１〜６の何れか１項に記載の吸収性物品。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技盤と、
前記遊技領域内に配設され、前記遊技球の落下の方向に変化を与える障害部材および装飾部材と
を備え、
前記遊技盤に設けられた外レールとその内側に設けられた内レールとの間に、遊技球が通過可能な案内通路が形成され、
発射装置により遊技球を前記案内通路に沿って前記遊技領域内に打ち込み、該遊技球を前記遊技領域内に流下させるよう構成されたぱちんこ遊技機であって、
前記案内通路における前記遊技領域への遊技球の出口開口の近傍に設けられる前記案内通路への遊技球逆流を防ぐ球戻り防止手段が設けられ、
前記装飾部材の左側領域側にはぶっ込み部が形成され、
前記ぶっ込み部は、
前記案内通路の前記出口開口方向に向けて突出する突起部と、
前記突起部の下方に備わり遊技玉を左側領域側に流下させるスロープ面と、
前記突起部と前記スロープ面との間に設けられる凹部と
で構成され、
前記球戻り防止手段と前記突起部との間には、前記障害部材や前記装飾部材で形成される複数の所定間隔が設けられ、
前記所定間隔の少なくとも一つは、前記突起部の先端部から前記スロープ面の斜面へ向かって垂直下方方向に設けられた間隔広さより広い
ことを特徴とするぱちんこ遊技機。
【手続補正２】
【補正対象書類名】明細書
【補正対象項目名】０００６
【補正方法】変更
【補正の内容】
【０００６】
このような目的達成のため、遊技球が流下する遊技領域が形成された遊技盤と、
遊技領域内に配設され、遊技球の落下の方向に変化を与える障害部材および装飾部材とを備え、遊技盤に設けられた外レールとその内側に設けられた内レールとの間に、遊技球が通過可能な案内通路が形成され、発射装置により遊技球を案内通路に沿って遊技領域内に打ち込み、該遊技球を遊技領域内に流下させるよう構成されたぱちんこ遊技機であって、案内通路における遊技領域への遊技球の出口開口の近傍に設けられる案内通路への遊技球逆流を防ぐ球戻り防止手段が設けられ、装飾部材の左側領域側にはぶっ込み部が形成され、ぶっ込み部は、案内通路の出口開口方向に向けて突出する突起部と、突起部の下方に備わり遊技玉を左側領域側に流下させるスロープ面と、突起部とスロープ面との間に設けられる凹部とで構成され、球戻り防止手段と突起部との間には、障害部材や装飾部材で形成される複数の所定間隔が設けられ、所定間隔の少なくとも一つは、突起部の先端部からスロープ面の斜面へ向かって垂直下方方向に設けられた間隔広さより広いように構成されることを特徴とするぱちんこ遊技機である。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
複数の図柄を変動表示可能な複数のリールと、前記複数のリールの変動表示を伴うゲームの実行毎に役の内部抽選を実行可能な制御手段と、を備え、
前記ゲームの結果が内部抽選で当選した役に対応する停止図柄態様になると、当該役の入賞が成立する遊技機において、
前記制御手段は、
遊技状態として、
所定条件の成立に基づき移行する特定遊技状態と、
前記特定遊技状態と異なる第１の遊技状態と、を設定可能であり、
前記特定遊技状態での遊技情報を累積し、当該累積結果が終了条件を満たすことに基づき当該特定遊技状態を終了するように構成され、
前記特定遊技状態において前記第１の遊技状態に移行した場合においても、当該特定遊技状態での遊技情報の累積を継続することを特徴とする遊技機。
【手続補正２】
【補正対象書類名】明細書
【補正対象項目名】０００４
【補正方法】変更
【補正の内容】
【０００４】
遊技状態の連続性が失われることで、遊技の興趣が低下してしまうおそれがあった。本発明の目的は、遊技の興趣を向上することである。
【手続補正３】
【補正対象書類名】明細書
【補正対象項目名】０００５
【補正方法】変更
【補正の内容】
【０００５】
以上の課題を解決するため、請求項１に記載の発明は、
複数の図柄を変動表示可能な複数のリールと、前記複数のリールの変動表示を伴うゲームの実行毎に役の内部抽選を実行可能な制御手段と、を備え、
前記ゲームの結果が内部抽選で当選した役に対応する停止図柄態様になると、当該役の入賞が成立する遊技機において、
前記制御手段は、
遊技状態として、
所定条件の成立に基づき移行する特定遊技状態と、
前記特定遊技状態と異なる第１の遊技状態と、を設定可能であり、
前記特定遊技状態での遊技情報を累積し、当該累積結果が終了条件を満たすことに基づき当該特定遊技状態を終了するように構成され、
前記特定遊技状態において前記第１の遊技状態に移行した場合においても、当該特定遊技状態での遊技情報の累積を継続することを特徴とする。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
電極板の一方面に正極を有する共に他方面に負極を有するバイポーラ電極の前記電極板の縁部に一次封止体を配置してなる一次封止体付きバイポーラ電極と、セパレータとを交互に所定数積層して中間積層体を形成する中間積層体形成工程と、
前記中間積層体における前記一次封止体付きバイポーラ電極において前記電極板の縁部から張り出す前記一次封止体の張出部分同士を溶着し、前記中間積層体に一次封止溶着体を形成する一次封止工程と、
前記一次封止溶着体が形成された前記中間積層体に、前記一次封止溶着体が形成された他の中間積層体又は前記一次封止体付きバイポーラ電極を積層して電極積層体を形成する電極積層体形成工程と、
前記電極積層体において、前記一次封止溶着体が形成された前記中間積層体の前記一次封止体と他の前記一次封止体とが結合されるように、前記電極積層体の側面に二次封止体を形成する二次封止工程と、を備えた蓄電モジュールの製造方法。
【請求項２】
前記中間積層体形成工程において、前記電極板の縁部に配置された前記一次封止体は、当該電極板の縁部に予め溶着されている請求項１記載の蓄電モジュールの製造方法。
【請求項３】
前記二次封止工程において、前記二次封止体を樹脂の射出成形によって形成することにより、前記二次封止体を前記一次封止体に溶着する請求項１又は２記載の蓄電モジュールの製造方法。
【請求項４】
前記電極積層体形成工程では、前記一次封止体付きバイポーラ電極の積層数が互いに異なる前記中間積層体を含めて前記電極積層体を形成する請求項１〜３のいずれか一項記載の蓄電モジュールの製造方法。
【請求項５】
前記一次封止工程では、前記一次封止体の張出部分の同士の溶着と、前記一次封止体と前記電極板との間の溶着とを同時に実施する請求項１〜４のいずれか一項記載の蓄電モジュールの製造方法。
【請求項６】
電極板の一方面に正極を有する共に他方面に負極を有する複数のバイポーラ電極と、セパレータとが交互に積層された電極積層体と、
前記電極積層体において積層方向に隣り合う前記バイポーラ電極間を封止する封止体と、を備え、
前記封止体は、前記バイポーラ電極を構成する電極板の縁部に設けられた一次封止体と、前記一次封止体同士を結合する二次封止体と、を有し、
前記一次封止体は、前記電極板の縁部から張り出す張出部分を有し、
前記電極積層体には、積層方向に隣り合う前記一次封止体の張出部分同士が溶着されてなる一次封止溶着体が設けられ、前記一次封止溶着体を含む前記一次封止体同士が結合されるように、前記電極積層体の側面に前記二次封止体が形成されている蓄電モジュール。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
矩形状の電極と前記電極の外縁部に接合された矩形環状の樹脂枠とを含むワークを第１方向に沿って積層するための積層装置であって、
前記第１方向に交差し、前記ワークが載置される載置面を有する載置台と、
前記載置面に載置された前記ワークを前記第１方向に沿って前記載置面に押し付けるための押圧部と、を備え、
前記載置面は、前記樹脂枠に対応する矩形環状のエリアを含み、
前記エリアは、前記エリアの外縁又は前記エリアの内縁によって規定される四角形の互いに交差する第１対角線及び第２対角線を有し、
前記押圧部は、前記第１方向から見て前記エリアの前記第１対角線上の一対の第１角部のそれぞれに重複する第１位置と前記一対の第１角部の外側の第２位置との間で移動される一対の第１押圧部材と、前記第１方向から見て前記エリアの前記第２対角線上の一対の第２角部のそれぞれに重複する第３位置と前記一対の第２角部の外側の第４位置との間で移動される一対の第２押圧部材と、を有し、
前記第１押圧部材は、前記第１位置において前記ワークを押し付け、
前記第２押圧部材は、前記第１方向について前記第１押圧部材と異なる位置に配置され、前記第３位置において前記ワークを押し付け、
前記第１押圧部材及び前記第２押圧部材は、少なくとも一方が常に前記ワークを前記載置面に押し付けるように、前記載置面上に前記ワークが積層される毎に、交互に前記ワークを前記載置面に押し付ける、
積層装置。
【請求項２】
前記第１押圧部材及び前記第２押圧部材は、前記載置面側の第１面と、前記第１面とは反対側の第２面と、を有し、
前記第２面は、前記第１方向から見て前記エリアに重複する部分であって、前記エリアの外側から内側に向かうにつれて前記載置面からの距離が漸減するように傾斜した傾斜部を含む、
請求項１に記載の積層装置。
【請求項３】
前記第１押圧部材は、前記第１方向から見て対応する前記第１角部に沿うように屈曲した第１内側面を有し、
前記第２押圧部材は、前記第１方向から見て対応する前記第２角部に沿うように屈曲した第２内側面を有し、
前記第１押圧部材は、前記第２位置に配置されたときに、前記第１内側面によって前記ワークをガイドし、
前記第２押圧部材は、前記第４位置に配置されたときに、前記第２内側面によって前記ワークをガイドする、
請求項１又は２に記載の積層装置。
【請求項４】
前記第１方向から見て、前記エリアの外側において前記第１押圧部材と前記第２押圧部材との間に配置され、前記樹脂枠が前記エリア上に位置するように前記ワークをガイドするガイド部材を更に備える、
請求項１〜３のいずれか一項に記載の積層装置。
【請求項５】
前記第１角部は、前記第１対角線上において前記エリアの前記外縁の角を構成する辺部分の一部を含み、
前記第１角部は、前記第１対角線上において前記エリアの前記内縁の角を構成する辺部分の一部を含み、
前記第２角部は、前記第２対角線上において前記エリアの前記外縁の角を構成する辺部分の一部を含み、
前記第２角部は、前記第２対角線上において前記エリアの前記内縁の角を構成する辺部分の一部を含んでいる、
請求項１〜４のいずれか一項に記載の積層装置。
【手続補正書】
【提出日】令和2年9月2日(2020.9.2)
【手続補正１】
【補正対象書類名】特許請求の範囲
【補正対象項目名】請求項１
【補正方法】変更
【補正の内容】
【請求項１】
相手側コネクタと前後方向に沿って嵌合するコネクタであって、
前記コネクタは、複数の第１群の端子と、複数の第２群の端子と、それらを保持する保持部材とを備えており、
前記第１群の端子の夫々は、前記相手側コネクタと前記コネクタとの嵌合の際に相手側端子と接触可能な一つの第１接触部と、ケーブルに接続可能な少なくとも一つの第１結線部とを備えており、
前記第１接触部は、前記前後方向において、前記第１結線部よりも前方に位置しており、
前記第２群の端子の夫々は、前記相手側コネクタと前記コネクタとの嵌合の際に相手側端子と接触可能な一つの第２接触部と、ケーブルに接続可能な一つの第２結線部とを備えており、
前記第２接触部は、前記前後方向において、前記第２結線部よりも前方に位置しており、
前記第１接触部と前記第２接触部は、前記前後方向と直交するピッチ方向に並んでおり、
前記ピッチ方向において、互いに隣り合う二つの前記第１接触部の間には、複数の前記第２接触部が位置しており、
前記第１結線部は、前記前後方向において前記第２結線部と異なる位置に位置していると共に、前記前後方向及び前記ピッチ方向の双方と直交する上下方向において前記第２結線部と異なる位置に位置している
コネクタ。
【手続補正２】
【補正対象書類名】明細書
【補正対象項目名】発明の名称
【補正方法】変更
【補正の内容】
【発明の名称】コネクタ及びケーブルハーネス
【手続補正３】
【補正対象書類名】明細書
【補正対象項目名】０００１
【補正方法】変更
【補正の内容】
【０００１】
本発明は、コネクタ及びコネクタを備えるケーブルハーネスに関する。
【手続補正４】
【補正対象書類名】明細書
【補正対象項目名】００１９
【補正方法】変更
【補正の内容】
【００１９】
本発明によれば、コネクタにおいて、第１群の端子の第１結線部は、前後方向において第２群の端子の第２結線部と異なる位置に位置するとともに、上下方向において第２結線部と異なる位置に位置している。このように、第１結線部の位置と第２結線部の位置とが異なっているので、第１結線部に対するケーブル接続と第２結線部に対するケーブル接続とを分けて行うことができる。そのため、第１結線部と第２結線部とに互いに異なる種類のケーブルを接続することが容易に行える。
【手続補正５】
【補正対象書類名】明細書
【補正対象項目名】００２６
【補正方法】変更
【補正の内容】
【００２６】
図４及び図５に示されるように、端子３２の夫々は、その前端の近くに位置する一つの接触部（３３１，３３３，３３５）と、接触部につながる少なくとも一つの結線部（３４１，３４３，３４５）とを有している。詳しくは、第１群の端子３２１の夫々は、一つの第１接触部３３１を有するとともに、二つの第１結線部３４１を有している。また、第２群の端子３２３の夫々は、一つの第２接触部３３３を有するとともに、一つの第２結線部３４３を有している。さらに、第３群の端子３２５の夫々は、一つの第３接触部３３５を有するとともに、一つの第３結線部３４５を有している。ここで、第１接触部３３１、第２接触部３３３及び第３接触部３３５の夫々は、コネクタ２０と相手側コネクタ（図示せず）とが互いに嵌合した際に、対応する相手側端子（図示せず）と接触する部分である。相手側コネクタが対応する相手側端子を有していない場合もあるので、第１接触部３３１、第２接触部３３３及び第３接触部３３５の夫々は、相手側端子のいずれか一つと接触する可能性のある部分である。第１結線部３４１、第２結線部３４３及び第３結線部３４５の夫々は、ケーブル８０に接続可能な部分である。本実施の形態では、第１結線部３４１、第２結線部３４３及び第３結線部３４５の全てにケーブル８０が接続されているが、コネクタ２０の用途によっては第１結線部３４１、第２結線部３４３及び第３結線部３４５のいずれか一つ以上にケーブル８０が接続されない場合もある。
【手続補正６】
【補正対象書類名】明細書
【補正対象項目名】００４１
【補正方法】変更
【補正の内容】
【００４１】
図１９及び図２０から理解されるように、端子３２Ａの各列において、第２結線部３４３Ａ及び第３結線部３４５Ａは、前後方向において第１結線部３４１Ａの後方に位置している。また、第２結線部３４３Ａ及び第３結線部３４５Ａは、上下方向において第１結線部３４１Ａの外側に位置している。第１結線部３４１Ａの夫々に、第１種のケーブル８０１の導体８１１が接続される。また、第２結線部３４３Ａ及び第３結線部３４５Ａの夫々に、グランドバー７０に保持された第２種のケーブル８０３の中心導体８２１が接続される。このように、本実施の形態においても、第２結線部３４３Ａ及び第３結線部３４５Ａが、前後方向及び上下方向において第１結線部３４１Ａと異なる位置にあるので、ピッチ方向に並ぶ端子３２Ａに対して、第１種のケーブル８０１の第１結線部３４１Ａへの接続と、第２種のケーブル８０３の第２結線部３４３Ａ及び第３結線部３４５Ａへの接続とを別々に行うことができる。また、第２種のケーブル８０３をグランドバー７０に保持させる一方で、第１種のケーブル８０１をグランドバー７０に保持させないようにすることができる。よって、本実施の形態においても、第１結線部３４１Ａと第２結線部３４３Ａとに互いに異なる種類のケーブル８０を接続することを容易に行うことができる。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
円柱状の導光柱、この導光柱の基端側の端面に設けられ発光源から光を入射する入射面、および前記導光柱の先端側の外周面に設けられ前記導光柱の先端側へ向けて縮径する放物面を有する導光体と；
前記導光体の先端側の中心部に設けられた光拡散部と；
を具備し、
前記導光体の先端側の端面の半径に対する前記光拡散部の半径の比率をｃ、前記導光体の屈折率をｎとすると、ｃ≧０．２１２８×ｎ＋０．５６８１６１９２の関係にある
ことを特徴とする光学アッセンブリ。
【請求項２】
前記導光体の前記放物面の軸方向の長さに対する前記光拡散部の軸方向の長さの比率をｄとすると、ｄ≧−２．１９１１×ｎ＋４．０７０９の関係にある
ことを特徴とする請求項１記載の光学アッセンブリ。
【請求項３】
前記導光体の前記放物面の軸方向の長さに対する前記光拡散部の軸方向の長さの比率をｄとすると、ｄ≧−１．２９４４×ｎ＋２．７６８５７８６の関係にある
ことを特徴とする請求項１記載の光学アッセンブリ。
【請求項４】
前記導光体の軸方向に沿った前記光拡散部の断面積Ｓは、Ｓ≦１６．９mm2の関係にある
ことを特徴とする請求項１ないし３いずれか一記載の光学アッセンブリ。
【請求項５】
前記導光体の基端側を覆う遮光体を具備し、
前記導光体の中心軸と前記遮光体の周辺部とを結ぶ直線をｘ、この直線ｘと前記導光体の中心軸とが交差する交点と前記光拡散部とを結ぶ直線をｙとすると、ｙ／ｘ≧１．３５の関係にある
ことを特徴とする請求項１ないし４いずれか一記載の光学アッセンブリ。
【請求項６】
筐体と；
前記筐体の一端側に設けられる発光源と；
前記発光源に対向して前記支持体の一端側に設けられる請求項１ないし５いずれか一記載の光学アッセンブリと；
前記筐体の一端側を覆うグローブと；
前記筐体の他端側に設けられる給電部と；
を具備することを特徴とするランプ装置。
【請求項７】
請求項６記載のランプ装置と；
前記ランプ装置の前記給電部を接続するソケットと；
を具備することを特徴とする照明装置。